(57)【要約】【課題】記録媒体に記録された多数の情報を効率的に検索する。【解決手段】ＨＤＤのリストには音声情報のトラック名と音声情報に対応する音声情報の少なくとも１つ上の階層のアルバム名が関連付けられて保持される。液晶ディスプレイには複数のアルバムの中から再生したいトラックのアルバムを選択するためのメニュー画面が表示される。メニュー画面から再生したいトラックのアルバムがユーザにより選択されると、選択表示領域２５４に選択されたアルバム名が表示される。アルバムが選択されると、液晶ディスプレイには、選択されたアルバムのトラックの中から再生したいトラックを選択するためのメニュー画面２６８が表示される。メニュー画面２６８において再生したいトラックがユーザにより選択されると、選択表示領域２５４に選択したトラック名が追加表示されると共に、選択されたトラックがＭＰ３データ蓄積領域から検索され、再生される。【選択図】図２２
2008269781.tif 000002
【特許請求の範囲】
【請求項１】
複数の第１の識別情報と上記複数の第１の識別情報にそれぞれ複数関連付けられる第２の識別情報と上記第２の識別情報ごとに関連付けられるコンテンツデータとを記憶する記憶手段と、
上記第１の識別情報と上記第２の識別情報を表示する表示手段と、
上記表示手段が表示する複数の上記第１の識別情報のうちいずれか一つが選択操作により選択されたとき、上記記憶手段を参照し選択された上記第１の識別情報に関連付けられる複数の第２の識別情報を上記表示手段に表示させる表示制御手段と、
を備える情報処理装置。
【請求項２】
上記第１の識別情報はトラックの集合を識別する情報であり、上記第２の識別情報はトラックを識別する情報である請求項１記載の情報処理装置。
【請求項３】
上記表示手段は、上記第１の識別情報を画像表示により表示する請求項２記載の情報処理装置。
【請求項４】
上記第１の識別情報はアーティストを識別する情報であり、上記第２の識別情報はトラックの集合を識別する情報である請求項１記載の情報処理装置。
【請求項５】
上記表示制御手段は選択された上記第１の識別情報に関連付けられる複数の上記第２の識別情報を表示手段に表示させるとき、選択された上記第１の識別情報を上記表示手段に表示させる請求項１記載の情報処理装置。
【請求項６】
上記記憶手段はさらに上記第１の識別情報が複数関連付けられる第３の識別情報を複数記憶し、
上記表示手段は上記第３の識別情報をさらに表示し、
上記表示制御手段は上記表示手段に表示された複数の上記第３の識別情報のうちいずれか一つが選択操作により選択されたとき、上記記憶手段を参照し選択された上記第３の識別情報に関連付けられる複数の上記第１の識別情報を表示手段に表示させる請求項１記載の情報処理装置。
【請求項７】
上記第３の識別情報はトラックの集合を識別する情報であり、上記第１の識別情報はトラックの集合を識別する情報であり、上記第２の識別情報はトラックを識別する情報である請求項６記載の情報処理装置。
【請求項８】
上記表示制御手段は選択された上記第１の識別情報に関連付けられる複数の上記第２の識別情報を表示手段に表示させるとき、選択された上記第１の識別情報と前記第１の識別情報に関連付けられる第３の識別情報を上記表示手段に表示させる請求項６記載の情報処理装置。
【請求項９】
上記記憶手段は上記表示手段が表示する上記第２の識別情報が選択操作により選択された場合、上記第２の識別情報と上記第２の識別情報に関連付けられる上記第１の識別情報とを識別可能な情報をリストとして記憶する請求項１記載の情報処理装置。
【請求項１０】
上記表示手段は上記記憶手段が記憶する上記リストを表示し、
上記表示手段が表示する上記リストが選択操作により選択された場合、上記リストが記憶する上記第２の識別情報と上記第２の識別情報に関連付けられる上記第１の識別情報とを識別可能な情報に基づき、上記記憶手段が記憶するコンテンツデータを再生する再生手段を有する請求項９記載の情報処理装置。
【請求項１１】
上記記憶手段は上記再生手段が上記リストが記憶する上記第２の識別情報に対応するコンテンツデータを再生する順番を上記リストに記憶する請求項１０記載の情報処理装置。
【請求項１２】
上記表示手段が表示する上記第２の識別情報が選択操作により選択された場合、上記第２の識別情報に関連付けられるコンテンツデータを再生する再生手段を有する請求項１記載の情報処理装置。
【請求項１３】
複数の第１の識別情報と上記複数の第１の識別情報にそれぞれ複数関連付けられる第２と上記第２の識別情報ごとに関連付けられるコンテンツデータとを記憶手段が記憶するステップと、
上記第１の識別情報と上記第２の識別情報を表示手段が表示するステップと、
上記表示手段が表示する複数の上記第１の識別情報のうちいずれか一つが選択操作により選択されたとき、上記記憶手段を参照し選択された上記第１の識別情報に関連付けられる複数の第２の識別情報を上記表示手段に表示させるステップと、
を備える情報処理方法。
【請求項１４】
複数の第１の識別情報と上記複数の第１の識別情報にそれぞれ複数関連付けられる第２と上記第２の識別情報ごとに関連付けられるコンテンツデータとを記憶手段に記憶させる処理と、
上記第１の識別情報と上記第２の識別情報を表示手段に表示させる処理と、
上記表示手段が表示する複数の上記第１の識別情報のうちいずれか一つが選択操作により選択されたとき、上記記憶手段を参照し選択された上記第１の識別情報に関連付けられる複数の第２の識別情報を上記表示手段に表示させる処理と、
を備える情報処理プログラム。
【発明の詳細な説明】
【技術分野】
【０００１】
本発明は情報処理装置、情報処理方法及び情報処理プログラムに係り、より詳細には、記録媒体に記録された情報を再生する情報処理装置、情報処理方法及び情報処理プログラムに関する。
【背景技術】
【０００２】
従来、１枚のＣＤ−ＤＡに記録される音声情報は通常１時間程度である。従って、ＣＤ−ＤＡには、音声情報が音楽であるとすると最大１０曲前後が記録可能である。再生、記録したい曲を手動で選択することは十分容易であった。
【発明の開示】
【発明が解決しようとする課題】
【０００３】
しかしながら、従来のＣＤ−ＤＡより記憶容量の大きい記憶装置が安価になり、情報を圧縮する技術を適用すると、単一の記憶媒体に記憶できる情報の数は飛躍的に増加することが考えられる。情報が音声情報であるとすると数１０００の音声情報を単一の記憶装置に記憶することも可能である。数１０００の音声情報の中から再生、記録する音声情報を手動で選択することは、非常に困難である。
【０００４】
本発明は、上記事実に鑑み成されたもので、記録媒体に記録された多数の情報を効率的に記録再生することが可能な情報処理装置、情報処理方法及び情報処理プログラムを提供することを目的とする。
【課題を解決するための手段】
【０００５】
上記目的を達成するために、本願発明に係る情報処理装置は、複数の第１の識別情報と複数の第１の識別情報にそれぞれ複数関連付けられる第２の識別情報と第２の識別情報ごとに関連付けられるコンテンツデータとを記憶する記憶手段と、第１の識別情報と第２の識別情報を表示する表示手段と、表示手段が表示する複数の第１の識別情報のうちいずれか一つが選択操作により選択されたとき、記憶手段を参照し選択された第１の識別情報に関連付けられる複数の第２の識別情報を表示手段に表示させる表示制御手段とを備えるものである。
【０００６】
また本願発明に係る情報処理方法は、複数の第１の識別情報と複数の第１の識別情報にそれぞれ複数関連付けられる第２と第２の識別情報ごとに関連付けられるコンテンツデータとを記憶手段が記憶するステップと、第１の識別情報と第２の識別情報を表示手段が表示するステップと、表示手段が表示する複数の第１の識別情報のうちいずれか一つが選択操作により選択されたとき、記憶手段を参照し選択された第１の識別情報に関連付けられる複数の第２の識別情報を表示手段に表示させるステップとを備えるものである。
【０００７】
また本願発明に係る情報処理プログラムは、複数の第１の識別情報と複数の第１の識別情報にそれぞれ複数関連付けられる第２と第２の識別情報ごとに関連付けられるコンテンツデータとを記憶手段に記憶させる処理と、第１の識別情報と第２の識別情報を表示手段に表示させる処理と、表示手段が表示する複数の第１の識別情報のうちいずれか一つが選択操作により選択されたとき、記憶手段を参照し選択された第１の識別情報に関連付けられる複数の第２の識別情報を表示手段に表示させる処理とを備えるものである。
【０００８】
記憶手段には、第１の識別情報と第１の識別情報に複数関連付けられる第２の識別情報と第２の識別情報ごとに関連付けられるコンテンツデータとが記憶される。第１の識別情報は、例えばトラックの集合を識別する情報やアーティストを識別する情報であり、第２の識別情報は例えばトラックを識別する情報である。表示手段の画面には第１の識別情報及び第２の識別情報が表示される。そして、ユーザにより表示手段の画面に表示された複数の第１の識別情報のうち何れかが選択されたとき、表示制御手段は記憶手段を参照し選択操作された第１の識別情報に関連付けられる複数の第２の識別情報を表示手段の画面に表示させる。
【０００９】
このように、記憶手段に記録された多数のコンテンツデータを検索するために、コンテンツデータに関連付けられる第２の識別情報と第２の識別情報に複数関連付けられる第１の識別情報とを用いるので、効率的にコンテンツデータを記録再生することができる。
【００１０】
また、異なるアルバムに同一の名称を有するトラックが存在する場合でも、リストはトラックを特定することができる。さらに、リストに識別情報を登録する順番で、音声情報を記録、再生、出力することができる。
【発明の効果】
【００１１】
本発明によれば、記憶手段に記録された多数のコンテンツデータを検索するために、コンテンツデータに関連付けられる第２の識別情報と第２の識別情報に複数関連付けられる第１の識別情報とを用いるので、第２の識別情報の検索が容易となり、効率的に第２の情報に関連付けられたコンテンツデータを記録再生することができる。
【発明を実施するための最良の形態】
【００１２】
以下、図面を参照して本実施の形態を詳細に説明する。
［ハード構成］
図１に、本実施の形態にかかる情報記録制御装置の正面からの外観を示す。この情報記録制御装置は、図示されないハードディスクを内蔵している。本実施例では８．４ＧＢ（音楽再生時約１４０時間分）のハードディスクを使用しているが、８．４ＧＢ以外の容量をもつハードディスクもしくはハードディスクと同等の高速アクセスが可能であり、高速再生が可能である他のデジタル情報記録装置でもよい。
【００１３】
また、本装置は、ＣＤを再生するＣＤドライブ２、ＣＤ−Ｒに情報を記録するＣＤ−Ｒドライブ４、及びコンパクトフラッシュ（登録商標）に情報を記録するＰＣカードドライブ１０を有する。また、ＰＣカードドライブ１０を介して本装置に接続可能な、マルチメディアカード、メモリースティックなど多様なメモリーカード、及びデジタル記憶装置を使用することが可能である。ＰＣカードドライブ以外に、情報を伝送するためのコネクタとして、シリアルケーブルポート、赤外線ポート等を備えてもよい。
【００１４】
更に、本装置は、ユーザとのインターフェースとなる液晶ディスプレイ６が備えられている。ユーザは操作パネル８に配置されているボタンを操作し、液晶ディスプレイ６に表示される機能を選択することによって、本装置の操作を行うことができる。
【００１５】
図２に本実施の形態のブロック構成図を示す。実線の矢印は情報の伝送を表し、破線の矢印は制御の方向を表している。デジタル信号処理部を有するＣＰＵ２４には、ハードディスク２２、ＣＤドライブ２、ＣＤ−Ｒドライブ４、ＰＣカードドライブ１０、液晶ディスプレイ６及び操作パネル８が接続されている。これらの構成要素はＣＰＵ２４によって制御されている。
【００１６】
［データ構成］
図３に示すように、ハードディスク２２は、情報蓄積領域としてのＭＰ３データ蓄積領域４４と作業領域４６とを有する。更に、ＭＰ３データ蓄積領域は後述するリストを記録する領域であるＭＵＳＩＣ ＬＩＳＴ領域４８を含む。
【００１７】
図４にＭＰ３データ蓄積領域４４内に記録される音声情報の記憶構造を示す。本実施例では、音声情報は図４に示すように複数の階層を有する階層構造で記録される。ここでは、音楽ジャンル６４、アーティスト６６、アルバム６８、トラック（ミュージック）７０の階層を有するが、どのような階層を構成するかは任意である。
【００１８】
［リスト］
ＭＰ３データ蓄積領域４４内に記録されている音声情報のうち、どの音声情報を再生あるいは伝送するかは、ユーザにより予め作成されたリストを選択することによって、簡易に指定することが可能である。リストに基づいて、ハードディスク内における音声情報の検出、再生（もしくは伝送）を逐次ユーザが指示することなく、簡易に行うことができるようになる。
【００１９】
図５にリストの構造を示す。図５に示す通り、リストは音声情報の識別情報としてのトラック（ミュージック）名を保持した形式である。しかしながら、本実施の形態のように多数の音声情報を扱うことを目的とした場合、違うトラックでありながら、同じ名称をもつトラックが存在する可能性が高い。特に、本装置によって、自動的にトラック名が付与される場合は、ＴＲＡＣＫ００１、ＴＲＡＣＫ００２．．．などが使用されるため、この可能性が高くなる。
【００２０】
リストにトラック名のみが保持され、異なる複数のアルバムに同一の名称を有するトラックが存在した場合、情報記録制御装置は目的のトラックを特定することができない。したがって、本実施の形態では指定されたトラックに対応するトラックの少なくとも１つ上（本実施の形態では１つ上）の階層の識別情報（例では、アルバム名）もトラック名に関連付けてリストに記録する。即ち、リスト作成時にトラックを指定すると、アルバム名も一緒に、指定されたトラックのトラック名と関連付けられてコピーされる。
【００２１】
アルバム名は本装置によって自動的に付与される場合でも同一のアルバム名が付与されることはない。また、一つのアルバム内に同一のトラック名が存在することはできない。したがって、上記の方法によって、リストが作成されることにより、異なるトラックが同一の識別情報の組み合わせによって登録されることはなくなる。即ち、リストは常に特定のトラックを識別することができる。
【００２２】
更に、トラックを検索する際には、トラックの検索を直接行うのではなく、まず、アルバム検索を行うため、検索時間が短縮される。即ち、階層構造の最下層のデータ検索を行う前に（即ちトラックの検索を行う前に）、その１つ上の階層の検索を行い（即ちアルバムの検索を行い）、検索されたフォルダ（アルバム）の中から目的のデータ（即ちトラック）を検索を行うことによって、検索時間が短縮される。
【００２３】
ここで作成されたリストはハードディスク２２内にあるＭＰ３データ蓄積領域４４内のＭＵＳＩＣ ＬＩＳＴ領域４８に記録される。
【００２４】
また、ＣＤ−Ｒに１つのトラックずつ（トラック・アット・ワンス）、少量の複数のトラックずつ（セッション・アット・ワンス）、あるいはパケット毎に（パケット・ライティング）書き込みを行うと、書き込み領域の間に繋ぎ領域が生じる。この繋ぎ領域は記憶容量の観点からは無駄な空間である。更に、この繋ぎ領域の存在によって、作成したＣＤ−Ｒに記録された情報は通常のＣＤプレーヤーで音声情報として認識されず、再生することができなくなる場合がある。本実施の形態では、リストに基づいて、ハードディスク内における音声情報を一括してＣＤ−Ｒに伝送することによって（ディスク・アット・ワンス）、この繋ぎ領域が生じず、作成したＣＤ−Ｒを通常のＣＤプレーヤーで再生することが可能となる。
【００２５】
また、リストを作成する際に、図６に示すように、音声情報の識別情報であるトラック名と、少なくとも１つ上の階層の識別情報（本実施の形態では１つ上の階層であるアルバムの名称）を組にしてリストに登録してもよい。この方法を用いることによってリスト内に同一のトラック名が存在することがなくなり、リスト内におけるトラックの順番を任意に指定することができ、トラックの再生、伝送、又は記録の順番を任意に決定することができるようになる。
【００２６】
また、リストは、音声情報の識別情報と、少なくとも１つ上の階層の識別情報を組にして登録することに限定されず、同一のアルバム内から選択されたトラックはリストにおいても同一の階層の中に記録されてもよい。これによって、同一のアルバムから複数のトラックが同一のリストのために選択されたとしても、リスト内に同じアルバムの名称が重複することを避けることができる。即ち、トラック（ミュージック）が選択され、このトラックの１つ上の階層がすでにリストに登録されている場合には、今回選択されたトラックは、選択の順番に関係なく、強制的にすでに登録された１つ上の階層に関連付けられる。
【００２７】
［本装置の作用］
図７、図１７、図２６及び図３４に本実施の形態にかかる情報記録制御装置の作用を図７、図１７、図２６及び図３４に示したフローチャートを参照して説明する。本装置の操作はユーザによって、液晶ディスプレイ６及び操作パネル８を使用して行われる。液晶ディスプレイの表示例を図８乃至図１４、図１８乃至図２５、図２７乃至図３３、及び図３５、図３６に示す。
【００２８】
［記録モード］
図７に記録モードを選択した場合のフローチャートを示す。この記録モードでは、ＣＤ、ＣＤ−Ｒ、コンパクトフラッシュ（登録商標）に記録された音声情報を、液晶ディスプレイ６及び操作パネル８を用いたユーザの指示にしたがって、ハードディスク２２の指定の場所に記録するモードである。
【００２９】
記録モードを選択すると図８に示すようにソースデバイスを選択するためのメニューが表示される。ステップ１０４において図８に示されるソースデバイス選択メニュー１５２からハードディスクに記録したい音声情報（トラック）が記録されたソースデバイスがユーザにより選択される。なお、本実施例では図８で、ソースデバイスとしてＣＤ１（本実施例においてはＣＤドライブ２）が選択され、図９に示すように選択表示領域１５４にソースデバイスとしてＣＤ１が選択されたことを示すメッセージ「Ｓｏｕｒｃｅ ＣＤ１」が表示される。
【００３０】
次にステップ１０６でメニュー画面には図９に示すように、選択されたソースデバイスに記録された音声情報としての複数のトラックの中から記録したいトラックを選択するためのメニューが表示される。ステップ１０６では、図９に示されるトラック選択メニュー１５６から１つのトラック又は全てのトラックがユーザにより選択される。なお、本実施例では図９でＴｒａｃｋ０１が選択され、図１０の選択表示領域１５４にＴｒａｃｋ０１が選択されたことを示すメッセージ「Ｔｒ０１」が追加表示される。
【００３１】
次のステップ１０８では、図１０に示すように、ハードディスク内に登録されている音楽ジャンルの中から記録したいトラックの音楽ジャンルを選択するためのメニューが表示される。図１０に示される音楽ジャンル選択メニュー１６０から、ユーザにより記録したいトラックの属する音楽ジャンルが選択される。なお、本実施例では、図１０でＦａｖｏｒｉｔｅが選択され、図１１の選択表示領域１５４に「Ｇｅｎｒｅ Ｆａｖｏｒｉｔｅ」が追加表示される。
【００３２】
次のステップ１１０では、図１１に示すように、選択された音楽ジャンルのアーティストの中から記録したいトラックのアーティストを選択するためのメニューが表示される。図１１に示されるアーティスト選択メニュー１６４からユーザにより記録したいトラックのアーティストが選択される。本実施例では図１１でＡｒｔｉｓｔ００１が選択され、図１２の選択表示領域１５４に「ＡｒｔｉｓｔＡｒｔｉｓｔ００１」が表示される。
【００３３】
次のステップ１１２では、図１２に示すように、選択されたアーティストのアルバムの中から記録したいトラックのアルバムを選択するためのメニューが表示される。図１２に示されるアルバム選択メニューからユーザにより記録したいトラックのアルバムが選択される。本実施例では図１２でＡｌｂｕｍ００１が選択され、図１３の選択表示領域１７４に「Ａｌｂｕｍ Ａｌｂｕｍ００１」が表示される。
【００３４】
次のステップ１１４では、指定したトラックを記録するかどうか判定が行われる。操作パネル８上の所定のボタンをユーザが押下することにより、トラックを記録すると判定されるとステップ１１６に進み、ソースデバイス上の指定されたトラックがハードディスクの指定されたアルバム内に記録される。
【００３５】
即ち、本ステップ１１６で、選択されたソースデバイス上の指定された音声情報を、ＣＰＵ２４中の表示しないバッファに逐次記録し、エンコーダによって圧縮し、ハードディスク２２のＭＰ３データ蓄積領域の上記で指定した階層に記録する。
【００３６】
また、本ステップ１１６において、記録処理中は、 図１３に示すように、１つのトラックをハードディスクに記録する場合の記録中であることを示すメッセージ「Ｎｏｗ ｒｅｃｏｒｄｉｎｇ．．． Ｍｕｓｉｃ００１」が記録経過表示領域１７２に表示される。なお、図１４はソースデバイス中の全てのトラックをハードディスクに記録する場合の記録中の表示である。
【００３７】
トラック名は、ユーザによって液晶ディスプレイ６又は操作パネル８を用いて入力される。ユーザが指定しない場合には、本装置が自動的にトラック名を設定する。同一フォルダ内（本実施例では同一アルバム内に）のフォルダ又はファイル（本実施例ではトラック）には異なる名称を使用する。
【００３８】
図１５に上記操作を行う前の情報蓄積領域の階層構造の一例を示し、図１６に上記操作が行われた後の情報蓄積領域の階層構造の一例を示す。前述したように、ＣＤ１の全てのトラックをハードディスクの音楽ジャンル「Ｆａｖｏｒｉｔｅ」、アーティスト「Ａｒｔｉｓｔ００１」、アルバム「Ａｌｂｕｍ００１」のフォルダに記録するように各メニューでユーザにより選択されたので、操作前の図１５では「Ｆａｖｏｒｉｔｅ」「Ａｒｔｉｓｔ００１」「Ａｌｂｕｍ００１」の下にトラックは存在しないが、操作後の図１６ではトラックが追加されていることがわかる。
【００３９】
前述した例では、ソースデバイス上の指定された音声情報を、ＣＰＵ２４内のバッファに逐次伝送し、エンコーダによって圧縮して、ハードディスク２２のＭＰ３データ蓄積領域の指定された階層に記録したが、本発明はこれに限定されず、ソースデバイス上の音声情報を、一時的にハードディス２２に記録し、その後上記と同様にエンコーダによって圧縮し、ハードディスク２２のＭＰ３データの蓄積領域の上記で指定した階層に記録してもよい。また、本実施の形態では音声情報の圧縮形態としてＭＰ３を用いているが、ＡＡＣ、ＡＴＲＡＣ３等、他の圧縮形態が用いられてもよい。エンコーダは電子回路の構成要素としてハード的に供給されてもよいし、プログラムとしてソフト的に供給されてもよい。
【００４０】
上記ではステップ１０６において、記録する１つのトラックもしくは全部のトラックを選択したが、任意の複数のトラックを選択できるようにしてもよい。リストを使用して予めリストに指定されたトラックをハードディスクに記録するようにしてもよい。
【００４１】
ソースデバイスは上記ＣＤに限定されず、本装置に内蔵されることが可能な任意の記録装置、又はＰＣドライブ１０もしくは他の手段によって、本装置に接続することが可能な任意の記憶装置でもよい。
【００４２】
［再生モード］
次に、図１７に再生モードを選択した場合のフローチャートを示す。この再生モードでは、本装置のハードディスク又は、ＣＤ、ＣＤ−Ｒ、コンパクトフラッシュ（登録商標）に記録された音声情報を、液晶ディスプレイ６及び操作パネル８を用いたユーザの指示にしたがって、再生するモードである。
【００４３】
再生モードを選択するとステップ２０４で図１８に示すように、ソースデバイスを選択するためのメニューが表示される。また、本ステップ２０４において、図１８に示されるソースデバイス選択メニュー２５２から再生したい音声情報（トラック）が記録されたソースデバイスがユーザにより選択される。
【００４４】
次にステップ２０６において、図１８に示したソースデバイス選択メニュー２５２からユーザによりＭＵＳＩＣ ＬＩＳＴが選択されると、処理はステップ２１８に進む。ステップ２１８では、再生を開始するかどうか判定が行われる。操作パネル８上の所定のボタンをユーザが押下することにより、再生を開始すると判定されると、ステップ２２０で、リストに記録されている音声情報の識別情報（トラック名）及び当該音声情報に対応する当該音声情報の１つ上の階層を識別する識別情報（アルバム名）にしたがって、音声情報（トラック）をＭＰ３データ蓄積領域４４から検索し、再生する。
【００４５】
ステップ２０６において、リスト以外のメニューが選択された場合、ステップ２０８で図１８に示したソースデバイス選択メニュー２５２からＨＤＤが選択されたかどうか判定し、ユーザによりＨＤＤが選択されたことが判定されると、ステップ２１０で、図１９に示すように選択されたソースデバイスに記録された音楽ジャンルの中から再生したいトラックの音楽ジャンルを選択するためのメニューが表示される。なお、本実施の形態では図１８に示したメニューからソースデバイスとしてＨＤＤが選択され、図１９に示すように選択表示領域２５４にソースデバイスとしてＨＤＤが選択されたことを示すメッセージ「Ｓｏｕｒｃｅ ＨＤＤ」が表示される。
【００４６】
本ステップ２１０で、音楽ジャンル選択メニュー２５６から再生したい音声情報（トラック）が属する音楽ジャンルがユーザにより選択される。なお、本実施例では図１９に示した音楽ジャンル選択メニュー２５６からＦａｖｏｒｉｔｅが選択され、図２０の選択表示領域２５４にＦａｖｏｒｉｔｅが選択されたことを示すメッセージ「Ｇｅｎｒｅ Ｆａｖｏｒｉｔｅ」が表示される。
【００４７】
次のステップ２１２で、選択された音楽ジャンルのアーティストの中から再生したいトラックのアーティストを選択するメニューが表示される。本ステップ２１２では、図２０に示されるアーティスト選択メニュー２６０から再生したいトラックのアーティストがユーザにより選択される。なお、本実施例では図２０でＡｒｔｉｓｔ００１が選択され、図２１の選択表示領域２５４にＡｒｔｉｓｔ００１が選択されたことを示すメッセージ「Ａｒｔｉｓｔ Ａｒｔｉｓｔ００１」が追加表示される。
【００４８】
次のステップ２１４で、メニュー画面には図２１に示すように、選択されたアーティストのアルバムの中から再生したいトラックのアルバムを選択するためのメニューが表示される。本ステップ２１４では、図２１に示されるアルバム選択メニュー２６４から再生したいトラックのアルバムがユーザにより選択される。なお、本実施例では図２１でＡｌｂｕｍ００１が選択され、図２２の選択表示領域２５４にＡｌｂｕｍ００１が選択されたことを示すメッセージ「ＡｌｂｕｍＡｌｂｕｍ００１」が追加表示される。
【００４９】
次のステップ２１６で、メニュー画面には図２２に示すように、選択されたアルバムのトラックの中から再生したいトラックを選択するためのメニューが表示される。本ステップ２１６では、図２２に示されるトラック選択メニュー２６８から再生したいトラックがユーザにより選択される。なお、本実施例では図２２でＴｒａｃｋ０１が選択され、図２３の選択表示領域２７４にＴｒａｃｋ０１が選択されたことを示すメッセージ「Ｔｒａｃｋ Ｔｒａｃｋ０１」が表示される。
【００５０】
次のステップ２１８では、指定したトラックを再生するかどうか判定が行われる。操作パネル８上の所定のボタンをユーザが押下することにより、トラックを再生すると判定されるとステップ２２０で、指定されたトラックがＭＰ３データ蓄積領域から検索され、再生される。
【００５１】
本ステップ２２０において、図２３に示すように、１つのトラックを再生中であることを示すメッセージ「Ｎｏｗ ｐｌａｙｉｎｇ．．．Ｍｕｓｉｃ００１」が表示される。
【００５２】
ステップ２０８において、ＨＤＤ以外のソースデバイスが選択されたことが判定された場合、ステップ２１６で、図２２に示すように、選択されたソースデバイスに記録されたトラックの中から再生したトラックを選択するメニューが表示される。以降の処理はソースデバイスとしてＨＤＤが選択された場合と同様である。
【００５３】
本実施例のステップ２１６では、ステップ２０４でリスト以外のソースデバイスが選択された場合、トラック選択メニュー２６８からトラックを１つだけ選択したが、図２４及び図２５に示すように、ステップ２１６においてトラック選択メニュー２６８から複数のトラックを選択した後、ステップ２１８で、再生するかどうか判定するようにしてもよい。また、全てのトラックを選択できるようにしてもよい。
【００５４】
ソースデバイスは、本装置に内蔵される、又は本装置に接続可能な任意の記録装置でよい。
【００５５】
［伝送モード］
図２６に伝送モードを選択した場合のフローチャートを示す。伝送モードは本装置のハードディスク又はＣＤに記録された音声情報を液晶ディスプレイ６及び操作パネル８を用いたユーザの指示にしたがって伝送し、ＣＤ−Ｒ又はコンパクトフラッシュ（登録商標）に記録するモードである。
【００５６】
伝送モードを選択すると図２７に示されるように伝送したいトラックが記録されているソースデバイスを選択するためのメニューが表示される。ステップ３０４で図２７に示されるソースデバイス選択メニュー３５２から伝送したい音声情報（トラック）が記録されたソースデバイスがユーザにより選択される。
【００５７】
次にステップ３０６で、ＨＤＤが選択されたかどうか判定する。本ステップ３０６で、ＨＤＤがユーザにより選択されたことが判定されるとステップ３０８に進む。本ステップ３０８で、図２８に示されるように、選択されたソースデバイスに記録された音楽ジャンルの中から伝送したいトラックの音楽ジャンルを選択するためのメニューが表示される。なお、本実施例では図２７のソースデバイス選択メニュー３５２から、ソースデバイスとしてＨＤＤが選択され、図２８の選択表示領域３５４にＨＤＤが選択されたことを示すメッセージ「ＳｏｕｒｃｅＨＤＤ」が表示される。
【００５８】
ステップ３０８で、図２８の音楽ジャンル選択メニュー３５６から、伝送したいトラックの音楽ジャンルがユーザにより選択される。なお、本実施例ではＦａｖｏｒｉｔｅが選択され、図２９の選択表示領域３５４にＦａｖｏｒｉｔｅが選択されたことを示す「Ｇｅｎｒｅ Ｆａｖｏｒｉｔｅ」が表示される。
【００５９】
次のステップ３１０では、図２９に示すように、選択された音楽ジャンルのアーティストの中から伝送したいトラックのアーティストを選択するためのメニューが表示される。本ステップ３１０で、図２９に示されるアーティスト選択メニュー３６０から伝送したいトラックのアーティストがユーザにより選択される。なお、本実施例ではＡｒｔｉｓｔ００１が選択され、図３０の選択表示領域３５４にＡｒｔｉｓｔ００１が選択されたことを示す「Ａｒｔｉｓｔ Ａｒｔｉｓｔ００１」が表示される。
【００６０】
次のステップ３１２で、図３０に示されるように選択されたアーティストのアルバムの中から伝送したいトラックのアルバムを選択するためのメニューが表示される。本ステップ３１２では、図３０に示されるアルバム選択メニュー３６６から伝送したいトラックのアルバムがユーザにより選択される。ユーザによりアルバム名が指示（図中反転表示）されると、アルバム内に含まれる音声情報（トラック）の再生時間のトータルが図３０のソーストラック再生時間表示領域３６４に表示される。なお、本実施例ではアルバム選択メニュー３６６からＡｌｂｕｍ００１が選択され、図３１の選択表示領域３５４にＡｌｂｕｍ００１が選択されたことを示す「Ａｌｂｕｍ Ａｌｂｕｍ００１」が表示される。図３１のソーストラック再生時間表示領域３６４には選択されたアルバムＡｌｂｕｍ００１に含まれる音声情報再生時間のトータルが表示される。
【００６１】
次にステップ３１４で、図３１に示すように、伝送するトラックを記録するデバイスであるデスティネーションデバイスを選択するためのメニューが表示される。本ステップ３１４で、デスティネーション選択メニュー３７２から、伝送するトラックを記録するデバイスがユーザにより選択される。デスティネーションデバイスとしてＣＤ−Ｒ（デスティネーション選択メニュー３７２ではＣＤ２で示される）が選択された場合は、記録する情報の形態が圧縮情報（ＭＰ３）であるか非圧縮データ（ＷＡＶ）であるかを選択することができる。ユーザにより指示されたデスティネーションデバイス（図中反転表示）の記録可能時間が図３１のデスティネーションデバイス記録可能時間表示領域３７４に表示される。
【００６２】
ステップ３１４で、デスティネーションデバイス選択メニュー３７２からデスティネーションデバイスが選択されると、ステップ３１６において、伝送を開始するかどうか判定される。操作パネル８上の所定のボタンをユーザが押下することにより、伝送を開始すると判定された場合はステップ３１８で、伝送するトラックが選択されたソースデバイスから検索され、選択されたデスティネーションデバイスに伝送され、トラックが記録される。
【００６３】
ステップ３０６で、ソースデバイス選択メニュー３５２からソースデバイスとしてリストが選択された場合は、ステップ３１４で、図３１のデスティネーションデバイス選択メニュー３７２からトラックを記録するデスティネーションデバイスを選択する。以降は基本的にステップ３０６のソースデバイス選択メニュー３５２でＨＤＤを選択した場合と同様の処理が行われる。伝送を開始すると判定されると、リストに記録されている音声情報の識別情報（トラック名）及び当該音声情報に対応する当該音声情報の１つ上の階層を識別する識別情報（アルバム名）にしたがって、トラックがソースデバイスから検索され、選択されたデスティネーションデバイスに伝送され、トラックが記録される。
【００６４】
ソースデバイスとしてＨＤＤ及びリスト以外のデバイス（本実施の形態ではＣＤ１即ちＣＤ）が選択された場合は、ソースデバイス上の指定されたトラック、又は指定されたアルバム内のトラックは一旦ハードディスク２２内の作業領域４６に記録される。その後圧縮処理が必要な場合（デスティネーションデバイスがＣＤ−Ｒドライブであり、且つ圧縮が指定された場合）はエンコーダによって、圧縮処理が行われ、デスティネーションデバイスとして選択されたデバイスに記録が行われる。
【００６５】
本実施の形態では、ＣＤ−Ｒドライブに対してはディスク・アット・ワンスでの書き込みをサポートするので、ステップ３１２でアルバム選択メニュー３６６から選択されたアルバム毎伝送するか、もしくはリストにしたがってリストに保持された全てのトラックの伝送を行う処理の流れになり、ソースデバイス上のトラックを選択する処理を含まない。しかしながら、ステップ３１２とステップ３１４の間で、図３２に示すように、トラック選択メニュー３８０からソースデバイス上のトラックを選択し、ステップ３１４で図３３に示すように、デスティネーションデバイス選択メニュー３８６からデスティネーションデバイスを選択してもよい。
【００６６】
［編集モード］
図３４にリスト作成手順のフローチャートを示す。リスト作成は編集モードにおいて行う。図３５に示す編集内容を選択するためのメニューである編集内容選択メニュー４５０から、リストを作成するためにＭＵＳＩＣ ＬＩＳＴを選択すると、ステップ４０４で、図３６に示すように、ハードディスクに記録されている音楽ジャンルの中からリストに登録するトラックの音楽ジャンルを選択するためのメニューが表示される。
【００６７】
図３６には、音楽ジャンル選択メニュー４５４が表示される。以降のリスト作成におけるメニュー画面は再生モードにおけるメニュー画面とほぼ同様なので図示を省略するが、ステップ４０４において音楽ジャンルを選択、ステップ４０６においてアーティストを選択、ステップ４０８においてアルバムを選択、ステップ４１０においてトラックを選択する。
【００６８】
ステップ４１２において選択されたトラックをリストに登録するかどうかが判定される。操作パネル８上の所定のボタンがユーザによって押下されることによって、リストに登録すると判定された場合はステップ４１４においてリストに登録し、ステップ４１６に進む。
【００６９】
ステップ４１６においてリストの作成を終了するかどうかを判定する。操作パネル８上の所定のボタンがユーザによって押下されることにより、リストの作成を終了しないと判定された場合はステップ４０４に戻る。同様に操作パネル８上の所定の別のボタンがユーザによって押下されることにより、ステップ４１６においてリストの作成を終了すると判定された場合はリスト作成は終了する。
【００７０】
ここで、作成されたリストはハードディスク２２内のＭＰ３データ蓄積領域４４内のＭＵＳＩＣ ＬＩＳＴ領域４８に記録される。リストに保持される識別情報は、前述されたように図５に示されるトラックを識別する識別情報（トラック名）とトラックに対応するトラックの１つ上の階層を識別する識別情報（アルバム名）が関連付けられている。リストに保持される識別情報は、図６に示されるトラック名とアルバム名を組み合わせた形態でもよいし、図５に示されるトラック名及びアルバム名で階層を形成する形態でもよい。また、アルバム名とトラック名で１つの識別情報を形成してもよい。また、トラック名及びアルバム名が組み合わされる形態のリスト、及び、トラック名及びアルバム名が階層を形成する形態のリスト、の２つの形態のリストを組み合わせて使用することにより、物理的なトラック検索効率を上昇させるとともに、再生及び記録のトラック順序指定を可能とすることができる。
【００７１】
図３７、図３８にトラック名をトラックに対応する１つ上の階層（アルバム）の名称に関連付け、トラック名とトラックに対応する１つ上の階層（アルバム）の名称が階層を形成する構造のリストの作成経過を示す。リスト作成時に異なるアルバムのトラックが選択されている場合は、図３７に示されるように、トラック名及びトラックに対応するアルバム名はトラックの識別情報としてリストに登録される。一方、すでに登録されているアルバム内の別のトラックが新規に指定された場合には、図３８に示されるように、先に登録されていた同一アルバム内のトラックと同様に、アルバム名に関連付けて登録される。
【００７２】
即ち、ＡＬＢＵＭ１ ５０２に属するＭＵＳＩＣ４ ５０６が新規に指定された場合には、ＭＵＳＩＣ４ ５０６は既に登録されていたＡＬＢＵＭ１ ５０２に関連付けられ、既に登録されていたＭＵＳＩＣ１ ５０４と同様にＡＬＢＵＭ１ ５０２の下の階層に登録される。
【００７３】
上記、メニュー画面で表示されたハードディスク内の音楽ジャンル、アーティスト、アルバム、トラックの名称は予め登録されていなければならない。上記の音楽ジャンル、アーティスト、アルバム、トラックの名称はユーザによって登録されない場合は、本装置によって自動的に付加される。
【００７４】
また、ユーザにより登録される場合には、編集モードにおいて、液晶ディスプレイ６と操作パネル８を用いて音楽ジャンル、アーティスト、アルバム、トラックの名称を登録することができる。同様に、名称を変更することも可能である。
【００７５】
また、トラックを記録するハードディスク内の階層構造も、編集モードにおいて、階層を選択し、フォルダを作成、削除することによって、ユーザが作成することができる。また、記録されたトラックを削除することも可能である。
【００７６】
即ち、上記におけるフォルダの作成、フォルダ、トラックの名称の変更、フォルダ、トラックの削除等はハードディスク２２内のＭＰ３データ蓄積領域４４の構成に反映される。
【００７７】
図８乃至図１６、図１８乃至図２５、図２７乃至図３３、及び図３５、図３６にはテキストを中心としたＧＵＩ表示のメニューが用いられているが、図３９に示されるようにグラフィック表示を中心としたメニュー表示でもよいし、あるいは、テキストを中心としたメニューでもよい。
【００７８】
また、本実施例では操作パネル８に配置されているのは、ボタンであるが、ボタンの代わりにジョグダイヤルを用いてもよい。また、音楽ジャンル、アーティスト、アルバム、トラックの名称を入力する際に、赤外線ポートによって本装置に接続されるキーボードを使用してもよい。
【００７９】
以上説明したように本実施の形態では音声情報を単一の大容量記憶装置であるハードディスクで一元管理し、圧縮／非圧縮データを他の記録媒体に記録可能とすることによって、大量の音声情報の検索、再生が容易に行えるようになる。また、音声情報を圧縮して、ハードディスクに記録することによって、多数の（数千曲の）音声情報を単一の記憶装置に格納することができるようになり、従来のように複数の記憶装置を使用する必要がなくなり、情報へのアクセスが容易になる。
【００８０】
ハードディスク内に「作業領域」を設け、緩衝記憶領域として用いることによって、本装置に内蔵されている、又は接続された記憶媒体間の音声情報の伝送が容易になる。また、「情報蓄積領域（圧縮データ記録領域）」及び「リスト領域（圧縮データ管理領域）」を設けることによって、情報蓄積領域内に階層構造を用いて音声情報を記録することによって、多量の音声情報の管理を容易とする。更に、リスト領域に格納されたリストを用いることによって、多量の音声情報の中から必要な音声情報を容易に検索することが可能となる。
【００８１】
リストを作成する際に、トラックの１つ上の階層（アルバム）を関連付けて記録することによって、トラックの検索が容易になり、同じ名称をもつ異なるトラックがコンフリクトを生じることがない。また、１つのアルバムで指定された複数のトラックはリスト上でも同一のフォルダに収めることによって、検索が高速化する。更に、リストにトラックの名称とアルバムの名称によって構成されるインデックスを登録することによって、リストに登録された順番でトラックを再生することが可能となる。
【図面の簡単な説明】
【００８２】
【図１】本実施の形態に係る情報記録制御装置の正面図である。
【図２】本実施の形態に係る情報記録制御装置の構成を示すブロック図である。
【図３】図２に示されるハードディスク内部の構成図である。
【図４】図３に示されるＭＰ３データ蓄積領域内の階層構造を示す図である。
【図５】本実施の形態のリスト例を示す図である。
【図６】本実施の形態のリスト例を示す図である。
【図７】本実施の形態の記録手順を示すフローチャートである。
【図８】本実施の形態の記録操作中に表示されるソースデバイス選択メニュー画面例である。
【図９】本実施の形態の記録操作中に表示されるトラック選択メニュー画面例である。
【図１０】本実施の形態の記録操作中に表示される音楽ジャンル選択メニュー画面例である。
【図１１】本実施の形態の記録操作中に表示されるアーティスト選択メニュー画面例である。
【図１２】本実施の形態の記録操作中に表示されるアルバム選択メニュー画面例である。
【図１３】本実施の形態の記録操作中に表示される、音声情報を記録中であることを示す画面例である。
【図１４】本実施の形態の記録操作中に表示される、音声情報を記録中であることを示す画面例である。
【図１５】音楽情報を記録する前の情報記録蓄積媒体における階層構造を示す図である。
【図１６】音楽情報を記録する前の情報記録蓄積媒体における階層構造を示す図である。
【図１７】本実施の形態の再生手順を示すフローチャートである。
【図１８】本実施の形態の再生操作中に表示されるソースデバイス選択メニュー画面例である。
【図１９】本実施の形態の再生操作中に表示される音楽ジャンル選択メニュー画面例である。
【図２０】本実施の形態の再生操作中に表示されるアーティスト選択メニュー画面例である。
【図２１】本実施の形態の再生操作中に表示されるアルバム選択メニュー画面例である。
【図２２】本実施の形態の再生操作中に表示されるトラック選択メニュー画面例である。
【図２３】本実施の形態の再生操作中に表示される、音声情報を再生中であることを示す画面例である。
【図２４】本実施の形態の再生操作中に表示されるトラック選択メニュー画面例である。
【図２５】本実施の形態の再生操作中に表示されるトラック選択メニュー画面例である。
【図２６】本実施の形態の伝送手順を示すフローチャートである。
【図２７】本実施の形態の伝送操作中に表示されるソースデバイス選択メニュー画面例である。
【図２８】本実施の形態の伝送操作中に表示される音楽ジャンル選択メニュー画面例である。
【図２９】本実施の形態の伝送操作中に表示されるアーティスト選択メニュー画面例である。
【図３０】本実施の形態の伝送操作中に表示されるアルバム選択メニュー画面例である。
【図３１】本実施の形態の伝送操作中に表示されるデスティネーションデバイス選択メニュー画面例である。
【図３２】本実施の形態の伝送操作中に表示されるトラック選択メニュー画面例である。
【図３３】本実施の形態の伝送操作中に表示される画面例である。
【図３４】本実施の形態のリスト作成手順を示すフローチャートである。
【図３５】本実施の形態の編集種類選択メニュー画面例である。
【図３６】本実施の形態のリスト作成中の音楽ジャンル選択メニュー画面例である。
【図３７】本実施の形態のリスト作成例を示す図である。
【図３８】本実施の形態のリスト作成例を示す図である。
【図３９】本実施の形態のメニュー画面の変形例を示す図である。
【符号の説明】
【００８３】
２ ＣＤドライブ
４ ＣＤ−Ｒドライブ
６ 液晶ディスプレイ
８ 操作パネル
１０ ＰＣドライブ
【図１】
2008269781.tif 000003
【図２】
2008269781.tif 000004
【図３】
2008269781.tif 000005
【図４】
2008269781.tif 000006
【図５】
2008269781.tif 000007
【図６】
2008269781.tif 000008
【図７】
2008269781.tif 000009
【図８】
2008269781.tif 000010
【図９】
2008269781.tif 000011
【図１０】
2008269781.tif 000012
【図１１】
2008269781.tif 000013
【図１２】
2008269781.tif 000014
【図１３】
2008269781.tif 000015
【図１４】
2008269781.tif 000016
【図１５】
2008269781.tif 000017
【図１６】
2008269781.tif 000018
【図１７】
2008269781.tif 000019
【図１８】
2008269781.tif 000020
【図１９】
2008269781.tif 000021
【図２０】
2008269781.tif 000022
【図２１】
2008269781.tif 000023
【図２２】
2008269781.tif 000024
【図２３】
2008269781.tif 000025
【図２４】
2008269781.tif 000026
【図２５】
2008269781.tif 000027
【図２６】
2008269781.tif 000028
【図２７】
2008269781.tif 000029
【図２８】
2008269781.tif 000030
【図２９】
2008269781.tif 000031
【図３０】
2008269781.tif 000032
【図３１】
2008269781.tif 000033
【図３２】
2008269781.tif 000034
【図３３】
2008269781.tif 000035
【図３４】
2008269781.tif 000036
【図３５】
2008269781.tif 000037
【図３６】
2008269781.tif 000038
【図３７】
2008269781.tif 000039
【図３８】
2008269781.tif 000040
【図３９】
2008269781.tif 000041